(57)【特許請求の範囲】
【請求項１】
イベント情報のデータをイベントテーマ情報のデータと個別イベント情報のデータとから構成し、
前記イベントテーマ情報のデータを、少なくともイベントテーマ名を有するものとして記憶部に格納し、
前記個別イベント情報のデータを、少なくとも開催期間を有するものとして、前記イベントテーマ情報に対応させ且つ前記イベントテーマ情報とは別に前記記憶部に格納し、
会員情報のデータを格納し、
前記個別イベント情報のデータと前記会員情報のデータとを接続して関連付けるイベント用内部スキーマを格納し、
前記イベント用内部スキーマを、前記個別イベント情報のＩＤと、前記会員のＩＤと、別会員の参加を許容する共有モードと別会員の参加を許容しない占有モードの何れかに設定されるモード情報と、有効性の状態を示すステータス情報とから構成し、
特定の会員の特定の個別イベント参加登録要求の受信に応じて、前記特定の会員の前記会員情報のデータと前記特定の個別イベントの前記個別イベント情報のデータとを、前記モード情報が設定される前記イベント用内部スキーマの前記ステータス情報を有効にして、前記イベント用内部スキーマを介して関連付け、前記イベント用内部スキーマを格納し、
前記占有モードで前記ステータス情報が有効の前記イベント用内部スキーマにより、前記特定の会員に関連付けられている前記特定の個別イベントに対して、別会員の参加要求を受け付けないと共に、
前記ステータス情報として設定可能なステータスが有効、保留、無効の３種であり、
特定の会員の特定の個別イベントへの参加登録の無効要求若しくは保留要求の受信に応じて、前記特定の会員の前記会員情報と前記特定の個別イベントの前記個別イベント情報とを関連付けして格納されている前記イベント用内部スキーマの前記ステータス情報を、無効若しくは保留に変更して、前記イベント用内部スキーマを格納することを特徴とするイベント情報管理システム。
【請求項２】
前記イベントテーマ情報のデータを、イベントテーマ名と開催場所を有するものとすることを特徴とする請求項１記載のイベント情報管理システム。
【請求項３】
通信ネットワークを介して接続されるクライアント端末にイベント内容を表示するイベントテーマ画面を提示し、
前記イベントテーマ画面における個別イベント参加希望入力の受信に応じて、個別イベントの開催期間の入力を促す開催期間入力画面を提示し、
前記開催期間入力画面で入力された開催期間及び個別イベント参加登録要求の受信に応じて、前記入力された開催期間を有する前記個別イベントの前記個別イベント情報のデータを生成して前記記憶部に格納することを特徴とする請求項１又は２記載のイベント情報管理システム。
【請求項４】
内部スキーマを、割当先のＩＤと、割当元のＩＤと、共有モードと占有モードの何れかに設定されるモード情報と、有効性の状態を示すステータス情報とから構成し、
前記イベント用内部スキーマを前記内部スキーマから構成すると共に、
前記内部スキーマをシステム内の別の情報相互の関連付けに用いて格納していることを特徴とする請求項１〜３の何れかに記載のイベント情報管理システム。
【請求項５】
前記会員情報のデータとして前記占有モードを使用できる会員に占有モード設定可の情報を格納し、
前記占有モード設定可の情報を有する会員に対してのみ、前記占有モードで前記ステータス情報が有効の前記イベント用内部スキーマによる関連付けを行うことを特徴とする請求項１〜４の何れかに記載のイベント情報管理システム。
【請求項６】
特定の会員の特定の個別イベントへの占有モードによる個別イベント参加登録要求の受信に応じて、前記特定の会員がその時点で有する前記占有モードで前記ステータス情報が有効の前記イベント用内部スキーマによる関連付けの個数を認識し、前記関連付けの個数が閾値以下若しくは閾値未満の場合に、前記特定の個別イベントへの前記イベント用内部スキーマを介しての関連付けを実行することを特徴とする請求項１〜４の何れかに記載のイベント情報管理システム。
【請求項７】
特定の会員が有する前記占有モードで前記ステータス情報が有効の前記イベント用内部スキーマによる関連付けの個数を認識し、前記関連付けの個数が閾値超若しくは閾値以上の場合に、前記特定の会員が有する前記占有モードで前記ステータス情報が有効の前記イベント用内部スキーマによる関連付けの少なくとも１つの前記ステータス情報を有効で無くすことを特徴とする請求項１〜４の何れかに記載のイベント情報管理システム。
【請求項８】
イベント情報のデータをイベントテーマ情報のデータと個別イベント情報のデータとから構成し、
前記イベントテーマ情報のデータを、少なくともイベントテーマ名を有するものとして記憶部に格納させ、
前記個別イベント情報のデータを、少なくとも開催期間を有するものとして、前記イベントテーマ情報に対応させ且つ前記イベントテーマ情報とは別に前記記憶部に格納させ、
会員情報のデータを格納させ、
前記個別イベント情報のデータと前記会員情報のデータとを接続して関連付けるイベント用内部スキーマを格納させ、
前記イベント用内部スキーマを、前記個別イベント情報のＩＤと、前記会員のＩＤと、別会員の参加を許容する共有モードと別会員の参加を許容しない占有モードの何れかに設定されるモード情報と、有効性の状態を示すステータス情報とから構成して、特定の会員の特定の個別イベント参加登録要求の受信に応じて、前記特定の会員の前記会員情報のデータと前記特定の個別イベントの前記個別イベント情報のデータとを、前記モード情報が設定される前記イベント用内部スキーマの前記ステータス情報を有効にして、前記イベント用内部スキーマを介して関連付け、前記イベント用内部スキーマを格納させ、
前記占有モードで前記ステータス情報が有効の前記イベント用内部スキーマにより、前記特定の会員に関連付けられている前記特定の個別イベントに対して、別会員の参加要求を受け付けず、
前記ステータス情報として設定可能なステータスを有効、保留、無効の３種として、特定の会員の特定の個別イベントへの参加登録の無効要求若しくは保留要求の受信に応じて、前記特定の会員の前記会員情報と前記特定の個別イベントの前記個別イベント情報とを関連付けして格納されている前記イベント用内部スキーマの前記ステータス情報を、無効若しくは保留に変更して、前記イベント用内部スキーマを格納させる処理をコンピュータに実行させることを特徴とするイベント情報管理プログラム。
【発明の詳細な説明】
【技術分野】
【０００１】
本発明は、参加者を募るイベントの情報を管理するイベント情報管理システム及びイベント情報管理プログラムに関する。
【背景技術】
【０００２】
参加者を募るイベントの情報を管理するシステムとして、特許文献１、２の情報管理システムがある。特許文献１の情報管理システムは、グループメンバーとなった会員だけが閲覧できる状態でグループの会員を対象とするイベントの開催告知情報を登録する手段と、イベントに対する会員の出席また欠席の希望を知らせるための出欠連絡情報を登録する手段と、イベントに対するグループメンバーの出席結果情報を登録する手段を情報管理サーバに設けるものであり、グループ管理者がグループ活動の運営の参考情報を得られるようにしたものである。
【０００３】
特許文献２の情報管理システムは、イベント日時、イベント内容、参加予定人数などのイベントデータを随時蓄積するイベントデータベースと、会員データを随時蓄積する会員データベースと、天気予報を随時受信する天気予報受信手段を情報管理装置に設け、会員データ、イベントデータ及び天気予報に基づき、会員毎に会員に合わせたイベントのイベントデータを抽出してイベントお知らせ情報を編集し、抽出したイベントの開催日時から逆算されたタイミングにて、会員の携帯端末にイベントお知らせ情報を送信するものである。
【先行技術文献】
【特許文献】
【０００４】
【特許文献１】特開２００７−２１９６７７号公報
【特許文献２】特開２０１１−２０３９１４号公報
【発明の概要】
【発明が解決しようとする課題】
【０００５】
ところで、イベント情報を管理する際に、開催される個々のイベントに対する管理データを作成して管理するのが通常である。しかしながら、反復して開催される同種のイベントについては、共通する管理データの部分は共用し、個別のイベント毎に設定される開催期間等の変更が必要な管理データの部分のみ新たに設定する方が、ハードウェア資源の効率的な利用、管理作業の効率化や柔軟性の向上の観点から望ましい。
【０００６】
本発明は上記課題に鑑み提案するものであって、反復して開催される同種の個別イベントを管理する際に、ハードウェア資源を効率的に利用し、管理作業の効率化や柔軟性の向上を図ることができるイベント情報管理システム及びイベント情報管理プログラムを提供することを目的とする。
【課題を解決するための手段】
【０００７】
本発明のイベント情報管理システムは、イベント情報のデータをイベントテーマ情報のデータと個別イベント情報のデータとから構成し、前記イベントテーマ情報のデータを、少なくともイベントテーマ名を有するものとして記憶部に格納し、前記個別イベント情報のデータを、少なくとも開催期間を有するものとして、前記イベントテーマ情報に対応させ且つ前記イベントテーマ情報とは別に前記記憶部に格納し、会員情報のデータを格納し、前記個別イベント情報のデータと前記会員情報のデータとを接続して関連付けるイベント用内部スキーマを格納し、前記イベント用内部スキーマを、前記個別イベント情報のＩＤと、前記会員のＩＤと、別会員の参加を許容する共有モードと別会員の参加を許容しない占有モードの何れかに設定されるモード情報と、有効性の状態を示すステータス情報とから構成し、特定の会員の特定の個別イベント参加登録要求の受信に応じて、前記特定の会員の前記会員情報のデータと前記特定の個別イベントの前記個別イベント情報のデータとを、前記モード情報が設定される前記イベント用内部スキーマの前記ステータス情報を有効にして、前記イベント用内部スキーマを介して関連付け、前記イベント用内部スキーマを格納し、前記占有モードで前記ステータス情報が有効の前記イベント用内部スキーマにより、前記特定の会員に関連付けられている前記特定の個別イベントに対して、別会員の参加要求を受け付けないと共に、前記ステータス情報として設定可能なステータスが有効、保留、無効の３種であり、特定の会員の特定の個別イベントへの参加登録の無効要求若しくは保留要求の受信に応じて、前記特定の会員の前記会員情報と前記特定の個別イベントの前記個別イベント情報とを関連付けして格納されている前記イベント用内部スキーマの前記ステータス情報を、無効若しくは保留に変更して、前記イベント用内部スキーマを格納することを特徴とする。
これによれば、開催期間を有する新たな個別イベント情報のデータを随時設定することにより、反復して開催される同種の個別イベントを管理する際に、ハードウェア資源を効率的に利用し、効率的且つ柔軟な管理作業を行うことができる。また、有効性を示すステータス情報を有するイベント用内部スキーマを持続して格納することにより、特定の個別イベントに特定の会員が参加する情報だけでなく、その後に参加をキャンセルした事実等のイベント参加に関連する履歴情報を管理することができ、この履歴情報により、会員に対するアプローチや将来開催するイベント内容に対する主催者の意思決定を支援することができる。また、イベント用内部スキーマのモード情報を共有モードと占有モードの何れかに設定することで、会員が別会員と一緒にイベント参加を希望する場合と単独でイベント参加を希望する場合の双方に簡単な設定で対処することができる。例えば会員の希望に応じて英会話の個人レッスンやレストランの貸し切りも可能となり、イベント主催者側の売上の増加や顧客満足度の向上も図ることができる。また、履歴として持続的に格納するイベント用内部スキーマのモード情報から共有、占有に対する需要も把握することができ、かかる点からもイベント内容に対する主催者の意思決定を支援することができる。また、イベント用内部スキーマを媒介として会員情報と個別イベント情報を結び付け、イベント参加に対する履歴を会員情報に直接記述しないことから、万一会員の個人情報である会員情報が流出した場合にも、会員の嗜好性、特性が流出することを回避することができる。また、イベント参加に関連するより詳細な履歴情報を管理することができ、会員に対するアプローチや将来開催するイベント内容に対する主催者の意思決定をより高度に支援することができる。また、保留でイベント参加をペンディングして仮予約することが可能になるので、会員のイベント参加に対する利便性を向上することができる。
【０００８】
本発明のイベント情報管理システムは、前記イベントテーマ情報のデータを、イベントテーマ名と開催場所を有するものとすることを特徴とする。
これによれば、開催場所が決まっているイベントに関し、開催場所をイベントテーマ情報のデータとして共用することにより、より効率的なハードウェア資源の利用、管理作業を行うことができる。
【０００９】
本発明のイベント情報管理システムは、通信ネットワークを介して接続されるクライアント端末にイベント内容を表示するイベントテーマ画面を提示し、前記イベントテーマ画面における個別イベント参加希望入力の受信に応じて、個別イベントの開催期間の入力を促す開催期間入力画面を提示し、前記開催期間入力画面で入力された開催期間及び個別イベント参加登録要求の受信に応じて、前記入力された開催期間を有する前記個別イベントの前記個別イベント情報のデータを生成して前記記憶部に格納することを特徴とする。
これによれば、利用者の便宜性の高い個別イベントを提供することができる。また、通信接続されるクライアント端末での入力を直接反映させ、利用者の希望に沿った個別イベント情報を正確且つ効率的に設定することができる。更に、イベント内容を表示するイベントテーマ画面からの入力に応じて開催期間画面を提示することにより、イベント参加を希望する利用者の要望に即座に応えることができる。
【００１０】
本発明のイベント情報管理システムは、内部スキーマを、割当先のＩＤと、割当元のＩＤと、共有モードと占有モードの何れかに設定されるモード情報と、有効性の状態を示すステータス情報とから構成し、前記イベント用内部スキーマを前記内部スキーマから構成すると共に、前記内部スキーマをシステム内の別の情報相互の関連付けに用いて格納していることを特徴とする。
これによれば、同じ構造の内部スキーマを、イベントと会員の関連付けに使用できるだけでなく、共有・占有の別と有効か否かの情報が関連付けで有用な管理システム上の様々な情報の関連付けに汎用して使用することができ、情報管理の効率性、利便性を高めることができる。また、斯様な関連付けが有用な情報においても、履歴情報を管理することができ、主催者の意思決定等をより高度に支援することができる。
【００１１】
本発明のイベント情報管理システムは、前記会員情報のデータとして前記占有モードを使用できる会員に占有モード設定可の情報を格納し、前記占有モード設定可の情報を有する会員に対してのみ、前記占有モードで前記ステータス情報が有効の前記イベント用内部スキーマによる関連付けを行うことを特徴とする。
これによれば、占有モードによる予約をある程度制限し、別会員の各種イベントに対する予約機会を確保することができる。また、特定の会員にのみ占有モードでの予約を許可することで、特定の会員をＶＩＰ待遇し、顧客満足度を向上することができる。
【００１２】
本発明のイベント情報管理システムは、特定の会員の特定の個別イベントへの占有モードによる個別イベント参加登録要求の受信に応じて、前記特定の会員がその時点で有する前記占有モードで前記ステータス情報が有効の前記イベント用内部スキーマによる関連付けの個数を認識し、前記関連付けの個数が閾値以下若しくは閾値未満の場合に、前記特定の個別イベントへの前記イベント用内部スキーマを介しての関連付けを実行することを特徴とする。
これによれば、占有モードによる予約を事前にある程度制限し、別会員の各種イベントに対する予約機会を確保することができる。
【００１３】
本発明のイベント情報管理システムは、特定の会員が有する前記占有モードで前記ステータス情報が有効の前記イベント用内部スキーマによる関連付けの個数を認識し、前記関連付けの個数が閾値超若しくは閾値以上の場合に、前記特定の会員が有する前記占有モードで前記ステータス情報が有効の前記イベント用内部スキーマによる関連付けの少なくとも１つの前記ステータス情報を有効で無くすことを特徴とする。
これによれば、占有モードによる予約を事後的にある程度制限し、別会員の各種イベントに対する予約機会を確保することができる。
【００１４】
本発明のイベント情報管理プログラムは、イベント情報のデータをイベントテーマ情報のデータと個別イベント情報のデータとから構成し、前記イベントテーマ情報のデータを、少なくともイベントテーマ名を有するものとして記憶部に格納させ、前記個別イベント情報のデータを、少なくとも開催期間を有するものとして、前記イベントテーマ情報に対応させ且つ前記イベントテーマ情報とは別に前記記憶部に格納させ、会員情報のデータを格納させ、前記個別イベント情報のデータと前記会員情報のデータとを接続して関連付けるイベント用内部スキーマを格納させ、前記イベント用内部スキーマを、前記個別イベント情報のＩＤと、前記会員のＩＤと、別会員の参加を許容する共有モードと別会員の参加を許容しない占有モードの何れかに設定されるモード情報と、有効性の状態を示すステータス情報とから構成して、特定の会員の特定の個別イベント参加登録要求の受信に応じて、前記特定の会員の前記会員情報のデータと前記特定の個別イベントの前記個別イベント情報のデータとを、前記モード情報が設定される前記イベント用内部スキーマの前記ステータス情報を有効にして、前記イベント用内部スキーマを介して関連付け、前記イベント用内部スキーマを格納させ、前記占有モードで前記ステータス情報が有効の前記イベント用内部スキーマにより、前記特定の会員に関連付けられている前記特定の個別イベントに対して、別会員の参加要求を受け付けず、前記ステータス情報として設定可能なステータスを有効、保留、無効の３種として、特定の会員の特定の個別イベントへの参加登録の無効要求若しくは保留要求の受信に応じて、前記特定の会員の前記会員情報と前記特定の個別イベントの前記個別イベント情報とを関連付けして格納されている前記イベント用内部スキーマの前記ステータス情報を、無効若しくは保留に変更して、前記イベント用内部スキーマを格納させる処理をコンピュータに実行させることを特徴とする。
これによれば、開催期間を有する新たな個別イベント情報のデータを随時設定することにより、反復して開催される同種の個別イベントを管理する際に、ハードウェア資源を効率的に利用し、効率的且つ柔軟な管理作業を行うことができる。また、有効性を示すステータス情報を有するイベント用内部スキーマを持続して格納することにより、特定の個別イベントに特定の会員が参加する情報だけでなく、その後に参加をキャンセルした事実等のイベント参加に関連する履歴情報を管理することができ、この履歴情報により、会員に対するアプローチや将来開催するイベント内容に対する主催者の意思決定を支援することができる。また、イベント用内部スキーマのモード情報を共有モードと占有モードの何れかに設定することで、会員が別会員と一緒にイベント参加を希望する場合と単独でイベント参加を希望する場合の双方に簡単な設定で対処することができる。例えば会員の希望に応じて英会話の個人レッスンやレストランの貸し切りも可能となり、イベント主催者側の売上の増加や顧客満足度の向上も図ることができる。また、履歴として持続的に格納するイベント用内部スキーマのモード情報から共有、占有に対する需要も把握することができ、かかる点からもイベント内容に対する主催者の意思決定を支援することができる。また、イベント用内部スキーマを媒介として会員情報と個別イベント情報を結び付け、イベント参加に対する履歴を会員情報に直接記述しないことから、万一会員の個人情報である会員情報が流出した場合にも、会員の嗜好性、特性が流出することを回避することができる。また、イベント参加に関連するより詳細な履歴情報を管理することができ、会員に対するアプローチや将来開催するイベント内容に対する主催者の意思決定をより高度に支援することができる。また、保留でイベント参加をペンディングして仮予約することが可能になるので、会員のイベント参加に対する利便性を向上することができる。
【発明の効果】
【００１５】
本発明によれば、反復して開催される同種の個別イベントを管理する際に、ハードウェア資源を効率的に利用し、管理作業の効率化や柔軟性の向上を図ることができる。
【図面の簡単な説明】
【００１６】
【図１】本発明による実施形態のイベント情報管理システム及びクライアント端末の全体構成を示すブロック図。
【図２】実施形態のイベント情報管理システムにおけるデータ格納部の構成を示すブロック図。
【図３】実施形態のイベント情報管理システムの使用例におけるイベントテーマテーブルを示す図。
【図４】実施形態のイベント情報管理システムの使用例におけるインストラクターテーブルを示す図。
【図５】実施形態のイベント情報管理システムの使用例におけるチケットテーブルを示す図。
【図６】実施形態のイベント情報管理システムの使用例における個別イベントテーブルを示す図。
【図７】実施形態のイベント情報管理システムの使用例における会員テーブルを示す図。
【図８】実施形態のイベント情報管理システムの使用例におけるイベント用内部スキーマのテーブルを示す図。
【図９】実施形態のイベント情報管理システムの使用例におけるイベントテーマ、個別イベント、会員とイベント用内部スキーマの関係を示すブロック図。
【図１０】実施形態のイベント情報管理システムの使用例における個別イベント参加登録処理を示すフローチャート。
【図１１】図９のイベント用内部スキーマのテーブルに新たな個別イベント用内部スキーマが追加されたテーブルを示す図。
【図１２】実施形態のイベント情報管理システムの使用例における個別イベント参加登録を無効又は保留にする処理を示すフローチャート。
【図１３】占有モードの資格を有する特定の会員だけが占有モードで個別イベント参加できる例におけるイベント参加登録処理を示すフローチャート。
【図１４】占有モードの使用過多を閾値で制限する処理の第１例を示すフローチャート。
【図１５】占有モードの使用過多を閾値で制限する処理の第２例を示すフローチャート。
【図１６】変形例の個別イベント参加登録処理を示すフローチャート。
【図１７】（ａ）は変形例におけるイベントテーマ画面を示す図、（ｂ）は変形例におけるイベント開催期間入力画面を示す図。
【発明を実施するための形態】
【００１７】
〔実施形態のイベント情報管理システム及びイベント情報管理プログラム〕
本実施形態のイベント情報管理システムは、図１に示すように、イベント情報管理装置１で構成され、イベント情報管理装置１は、インターネット等の通信ネットワーク１１を介して会員のクライアント端末１２と接続される。イベント情報管理装置１は、例えば単独のサーバ或いは通信接続された複数のサーバで構成され、所定の制御プログラムに従って処理を実行するＣＰＵ等の制御部２と、メモリやハードディスク等の記憶部３と、キーボード、マウス等の入力部４と、液晶ディスプレイ等の画像表示部５と、通信ネットワーク１１を介する通信接続を担う通信部６を備える。
【００１８】
また、クライアント端末１２は、それぞれ例えばパーソナルコンピュータ、スマートフォン等の多機能携帯端末等で構成され、所定の制御プログラムに従って処理を実行するＣＰＵ等の制御部と、メモリやハードディスク等の記憶部と、キーボード、マウス等の入力部と、液晶ディスプレイ等の画像表示部と、通信ネットワーク１１を介する通信接続を担う通信部を備える。
【００１９】
イベント情報管理装置１の記憶部３は、図２に示すように、オペレーティングシステムのプログラムやイベント情報管理プログラム等のイベント情報管理装置１の制御プログラムを格納するプログラム格納部３１と、イベント情報管理プログラムに従う処理で用いるデータを格納するデータ格納部３２を有する。
【００２０】
データ格納部３２には、イベントのテーマ、イベントの開催場所、イベントの開催期間を有するイベント情報のデータが格納されており、本実施形態において格納されるイベント情報のデータは、イベントテーマテーブル、インストラクターテーブル、会場テーブル、チケットテーブル、個別イベントテーブルに格納されるデータで構成されている。イベントテーマテーブルはイベントテーマテーブル格納部３２１に格納され、インストラクターテーブルはインストラクターテーブル格納部３２２に格納され、会場テーブルは会場テーブル格納部３２３に格納され、チケットテーブルはチケットテーブル格納部３２４に格納され、個別イベントテーブルは個別イベントテーブル格納部３２５に格納される。
【００２１】
図３の例のイベントテーマテーブルはイベントテーマ名と、イベントテーマＩＤと、インストラクターＩＤと、開催場所と、チケットＩＤと、定員数とからなるイベントテーマ情報で構成される。図４の例のインストラクターテーブルはインストラクター名と、インストラクターＩＤとから構成され、図５の例のチケットテーブルはチケット名と、チケットＩＤと、チケット価格と、チケットの最大発行数とから構成されている。これらのイベントテーマテーブル、インストラクターテーブル、会場テーブル、チケットテーブルに格納されているデータが各種ＩＤを介して関連付けられて、個別イベント名と個別イベントの開催期間以外のイベント情報が規定され、換言すれば個別のイベント相互において共通するイベント共通情報が規定される。
【００２２】
図６の例の個別イベントテーブルは、個別イベント名と、個別イベントＩＤと、イベントテーマＩＤと、開始日時と、終了日時とから構成され、データ格納部３２内においてイベントテーマテーブルとは別の記憶領域に設けられている。個別イベントテーブルのデータは、イベント情報のうち個別イベント名と個別イベントの開催期間を規定しており、これらの個別イベント情報は、イベントテーマＩＤを介して個別イベントが属するイベントのイベント共通情報と関連付けられ、イベントテーマと対応するように設定される。
【００２３】
また、データ格納部３２には、図２に示すように、会員情報のデータを格納する会員情報格納部３２６が設けられており、会員の氏名、会員ＩＤ、メールアドレス等の所要情報が格納される（図７参照）。また、データ格納部３２には、イベント用内部スキーマに相当するアサインデータを格納するアサインテーブル格納部３２７が設けられている。また、データ格納部３２の表示画面格納部３２８には、クライアント端末１２に提示する各種表示画面のデータが格納されている。
【００２４】
イベント用内部スキーマに相当するアサインデータは、イベント用内部スキーマ毎に付与される識別情報のアサインＩＤ、イベントのタイプ情報と、個別イベント情報のＩＤと、会員ＩＤと、共有モードと占有モードの何れかに設定されるモード情報と、有効か否かを示すステータス情報とから構成され、図８の例では、アサインＩＤ、イベントのタイプ情報、個別イベントＩＤ、会員ＩＤ、共有又は占有のモード情報、有効（アクティブ）又は無効（キャンセル）のステータス情報とから構成されている。
【００２５】
モード情報の共有モードは、個別イベントに対する別会員の参加を許容するモードであり、又、占有モードは、個別イベントに対する別会員の参加を許容しないモードである。
【００２６】
有効（アクティブ）、無効（キャンセル）のステータス情報は、有効（アクティブ）の場合に、イベント用内部スキーマ（アサインデータ）を介在する特定の会員と特定の個別イベントの関連付けが有効になっている状態を示し、無効（キャンセル）の場合に、イベント用内部スキーマ（アサインデータ）を介在する特定の会員と特定の個別イベントの関連付けが一旦なされたが、現時点ではキャンセルされている状態を示している。更に、ステータス情報として、有効（アクティブ）と無効（キャンセル）に加え、保留（ペンディング）のステータスを付加すると好適であり、この場合の保留（ペンディング）のステータスは、イベント用内部スキーマ（アサインデータ）を介在する特定の会員と特定の個別イベントの関連付けが保留状態でなされて仮予約されている状態を示している。
【００２７】
図９は実施形態のイベント情報管理装置１の使用例におけるイベントテーマ、個別イベント、会員とイベント用内部スキーマ（アサイン）の関係を示しており、図３〜図８の各テーブルは、図９の関係に対応するデータを格納している。
【００２８】
そして、イベント情報管理装置１において会員の新たな個別イベントへの参加登録処理を行う際には、例えば図１０に示すように、所定画面でのクリック等により会員ＩＤ：Ｍ１の会員のクライアント端末１２からの表示要求に応じて、イベント情報管理装置１が各種個別イベントの内容と開催期間等を表示する参加申込画面を提示し（Ｓ１１）、参加申込画面での個別イベントＩＤ：ＥＰ１−２の個別イベントの指定、共有モードと占有モードの選択指定、及び参加申込ボタンのクリック等により、イベント情報管理装置１が個別イベントＩＤ：ＥＰ１−２の個別イベントへの参加要求と選択されたモード情報をクライアント端末１２から受信する（Ｓ１２）。
【００２９】
イベント情報管理装置１は、個別イベントＩＤ：ＥＰ１−２の個別イベントへの参加要求とモード情報の入力に応じて、アサインテーブル格納部３２７のアサインデータを用いて個別イベントＩＤ：ＥＰ１−２の個別イベントに占有モードが設定されていないこと、換言すれば占有モードでステータス情報が有効のイベント用内部スキーマで、当該個別イベントが特定の会員に関連付けられているか否かを確認する（Ｓ１３）。
【００３０】
占有モードでの関連付けがなされていない場合には、会員情報格納部３２６に格納されている会員ＩＤ：Ｍ１の会員の会員情報と、個別イベントテーブル格納部３２５に格納されている個別イベントＩＤ：ＥＰ１−２の個別イベント情報とを関連付けるイベント用内部スキーマであるアサインデータを新たに生成する（Ｓ１４）。このアサインデータのステータス情報は有効に設定され、又、このイベント用内部スキーマ（アサインデータ）のモード情報は、受信して入力された共有モードと占有モードの何れかに設定される。
【００３１】
イベント情報管理装置１は、図１１に示すように、新たに生成したアサインＩＤ：ＡＳ５のイベント用内部スキーマ（アサインデータ）をアサインテーブル格納部３２７に新たに追加して格納し（Ｓ１５）、個別イベント参加を希望する会員ＩＤ：Ｍ１の会員の会員情報と、個別イベントＩＤ：ＥＰ１−２の個別イベント情報との関連付けが完了する。
【００３２】
占有モードでの関連付けがなされている場合には、イベント情報管理装置１は、会員ＩＤ：Ｍ１の会員の個別イベントＩＤ：ＥＰ１−２の個別イベントへの参加要求を受け付けず（Ｓ１６）、クライアント端末１２に参加要求を受け付けられない旨のメッセージを返信する。
【００３３】
また、占有モードによるイベント用内部スキーマ（アサインデータ）の生成、格納も上記共有モードの設定の場合と同様の処理で行われ、例えば図８のアサインＩＤ：ＡＳ４のアサインデータが設定された際には、イベント情報管理装置１は、会員ＩＤ：Ｍ３の会員のクライアント端末１２から個別イベントＩＤ：ＥＰ２−２の個別イベントへの参加要求と占有モードのモード情報を受信し、占有モードでの関連付けがなされていない場合には、ステータス情報を有効（アクティブ）に設定し、モード情報を占有モードに設定してアサインＩＤ：ＡＳ４のイベント用内部スキーマ（アサインデータ）を生成し、アサインテーブル格納部３２７に新たに追加格納して関連付けを行う。他方、別途に占有モードでの関連付けがなされている場合には、イベント情報管理装置１は、会員ＩＤ：Ｍ３の会員の個別イベントＩＤ：ＥＰ２−２の個別イベントへの参加要求を受け付けず、その旨のメッセージを返信する。
【００３４】
また、イベント情報管理装置１において個別イベントに参加登録している会員が個別イベントへの参加登録を無効又は保留にする処理を行う際には、例えば図１２に示すように、所定画面でのクリック等により会員ＩＤ：Ｍ１の会員のクライアント端末１２からの表示要求に応じて、イベント情報管理装置１が個別イベントへの参加登録状況を表示する参加状況画面を提示し（Ｓ２１）、参加状況画面での個別イベントＩＤ：ＥＰ１−１の個別イベントの指定及び参加登録無効又は参加登録保留のクリック等により、イベント情報管理装置１が個別イベントＩＤ：ＥＰ１−１の個別イベントへの参加無効要求又は参加保留要求をクライアント端末１２から受信する（Ｓ２２）。
【００３５】
イベント情報管理装置１は、個別イベントＩＤ：ＥＰ１−１の個別イベントへの参加無効要求又は参加保留要求の入力に応じて、会員ＩＤ：Ｍ１の会員の会員情報と、個別イベントＩＤ：ＥＰ１−１の個別イベント情報とを関連付けしているアサインＩＤ：ＡＳ１のイベント用内部スキーマ（アサインデータ）を格納しているアサインテーブル格納部３２７から抽出し（Ｓ２３）、アサインＩＤ：ＡＳ１のイベント用内部スキーマ（アサインデータ）の有効（アクティブ）のステータス情報を無効（キャンセル）又は保留（ペンディング）に変更し（Ｓ２４）、ステータス情報変更後のアサインＩＤ：ＡＳ１のイベント用内部スキーマ（アサインデータ）をアサインテーブル格納部３２７に格納し（Ｓ２５）、参加を無効にする処理又は参加を保留にする処理が完了する。
【００３６】
尚、参加保留状態を解除する場合には、同様に、イベント情報管理装置１が個別イベントＩＤ：ＥＰ１−１の個別イベントへの参加保留解除要求をクライアント端末１２から受信し、これに応じて、会員ＩＤ：Ｍ１の会員の会員情報と、個別イベントＩＤ：ＥＰ１−１の個別イベント情報とを関連付けしているアサインＩＤ：ＡＳ１のイベント用内部スキーマ（アサインデータ）を格納しているアサインテーブル格納部３２７から抽出し、アサインＩＤ：ＡＳ１のイベント用内部スキーマ（アサインデータ）の保留（ペンディング）のステータス情報を有効（アクティブ）に変更し、ステータス情報変更後のアサインＩＤ：ＡＳ１のイベント用内部スキーマ（アサインデータ）をアサインテーブル格納部３２７に格納する。
【００３７】
また、イベント情報管理装置１において会員の新たな個別イベントへの参加処理を行う当初から、参加保留の状態で参加を受け付けることも可能であり、例えばイベント情報管理装置１が個別イベントＩＤ：ＥＰ１−２の個別イベントへの参加保留要求をクライアント端末１２から受信し、これに応じて、会員情報格納部３２６に格納されている会員ＩＤ：Ｍ１の会員の会員情報と、個別イベントテーブル格納部３２５に格納されている個別イベントＩＤ：ＥＰ１−２の個別イベント情報とを関連付けるイベント用内部スキーマであるアサインデータを、ステータス情報を保留に設定して新たに生成し、新たに生成したステータス情報が保留（ペンディング）のアサインＩＤ：ＡＳ５のイベント用内部スキーマ（アサインデータ）をアサインテーブル格納部３２７に新たに追加格納して処理する。
【００３８】
本実施形態によれば、イベント情報のデータをイベントテーマ情報のデータと個別イベント情報のデータとから構成し、開催期間を有する新たな個別イベント情報のデータを随時設定することにより、反復して開催される同種の個別イベントを管理する際に、ハードウェア資源を効率的に利用し、効率的且つ柔軟な管理作業を行うことができる。
【００３９】
また、会員情報と個別イベント情報のデータをイベント用内部スキーマを介して関連付け、有効か否かを示すステータス情報を有するイベント用内部スキーマ（アサインデータ）を格納することにより、特定のイベントに特定の会員が参加する情報だけでなく、その後に参加をキャンセルした事実等のイベント参加に関連する履歴情報を管理することができ、この履歴情報により、会員に対するアプローチや将来開催するイベント内容に対する主催者の意思決定を支援することができる。
【００４０】
また、イベント用内部スキーマのモード情報を共有モードと占有モードの何れかに設定することで、会員が別会員と一緒にイベント参加を希望する場合と単独でイベント参加を希望する場合の双方に簡単な設定で対処することができる。例えば会員の希望に応じて英会話の個人レッスンやレストランの貸し切りも可能となり、イベント主催者側の売上の増加や顧客満足度の向上も図ることができる。また、履歴として持続的に格納するイベント用内部スキーマのモード情報から共有、占有に対する需要も把握することができ、かかる点からもイベント内容に対する主催者の意思決定を支援することができる。また、イベント用内部スキーマを媒介として会員情報とイベント情報を結び付け、イベント参加に対する履歴を会員情報に直接記述しないことから、万一会員の個人情報である会員情報が流出した場合にも、会員の嗜好性、特性が流出することを回避することができる。
【００４１】
更に、イベント用内部スキーマ（アサインデータ）のステータス情報として有効、保留、無効の３種を設定可能とする場合には、イベント参加に関連するより詳細な履歴情報を管理することができ、会員に対するアプローチや将来開催するイベント内容に対する主催者の意思決定をより高度に支援することができる。また、保留でイベント参加をペンディングして仮予約することが可能になるので、会員のイベント参加に対する利便性を向上することができる。
【００４２】
〔実施形態の変形例等〕
本明細書開示の発明は、各発明や実施形態の構成の他に、適用可能な範囲で、これらの部分的な構成を本明細書開示の他の構成に変更して特定したもの、或いはこれらの構成に本明細書開示の他の構成を付加して特定したもの、或いはこれらの部分的な構成を部分的な作用効果が得られる限度で削除して特定した上位概念化したものを含むものである。そして、下記変形例も包含する。
【００４３】
例えばイベント情報管理装置１において、内部スキーマを、例えば名称と、タイプ情報と、割当先のＩＤと、割当元のＩＤと、共有モードと占有モードの何れかに設定されるモード情報と、有効か否かを示すステータス情報とから構成し、この内部スキーマの一用途としてイベント用内部スキーマを構成すると共に、この内部スキーマをシステム内の別の情報相互の関連付けに用いて格納するようにすると好適である。これにより、同じ構造の内部スキーマを、イベントと会員の関連付けに使用できるだけでなく、共有・占有の別と有効か否かの情報が関連付けで有用な管理システム上の様々な情報の関連付けに汎用して使用することができ、情報管理の効率性、利便性を高めることができ、更に、斯様な関連付けが有用な情報においても、履歴情報を管理することができ、主催者の意思決定等をより高度に支援することができる。この内部スキーマは、例えば会員のイベント参加への関連付け以外に、グループに内部スキーマを介してメンバーを関連付け、グループに対するメンバー登録に使用することができる。この場合、共有・占有の別と、有効か否かの情報を、グループにおけるメンバー管理に使用することができる。
【００４４】
また、上記実施形態では、任意の会員が、モード情報として占有モードと共有モードの何れかを選択して使用でき、選択されたモード情報をイベント用内部スキーマ（アサインデータ）に設定する構成としたが、占有モードを使用可能な会員を特定の資格を有する会員に限定することも可能である。これにより、占有モードによる予約をある程度制限し、別会員の各種イベントに対する予約機会を確保することができると共に、特定の会員にのみ占有モードでの予約を許可することで、特定の会員をＶＩＰ待遇し、顧客満足度を向上することができる。
【００４５】
この場合には、例えばイベント情報管理装置１が、会員情報格納部３２６に格納される会員情報のデータとして占有モードを使用できる会員に占有モード設定可の情報を格納し、会員のイベント参加登録処理において、図１３に示すように、クライアント端末１２から特定の会員の特定の個別イベントへの参加要求と指定された占有モードのモード情報を受信し（Ｓ３１）、特定の会員が占有モード設定可であるか否かを会員情報格納部３２６のデータで確認し（Ｓ３２）、特定の会員が占有モード設定可の情報を有する会員である場合には、特定の個別イベントに対して占有モードでステータス情報が有効のイベント用内部スキーマによる関連付けを行い（Ｓ３３）、特定の会員が占有モード設定可の情報を有しない会員である場合には、受信した特定の個別イベントへの参加要求を受け付けない処理（Ｓ３４）等を実行する。
【００４６】
また、イベント情報管理装置１が、図１４に示すように、特定の会員の特定の個別イベントへの占有モードによる参加要求の受信、入力に応じ（Ｓ４１）、例えば会員ＩＤとステータス情報が有効であることとモード情報が占有モードであることをキーにして、アサインテーブル格納部３２７に格納しているイベント用内部スキーマ（アサインデータ）から、特定の会員がその時点で有する占有モードでステータス情報が有効のイベント用内部スキーマによる関連付けの個数を認識し（Ｓ４２）、データ格納部３２の所定領域に格納されている関連付けの個数の閾値と対比し、特定の会員の関連付けの個数が閾値以下若しくは閾値未満の場合に（Ｓ４３）、特定の個別イベントへの占有モードによるイベント用内部スキーマを介しての関連付けを実行し（Ｓ４４）、特定の会員の関連付けの個数が閾値超若しくは閾値以上の場合に（Ｓ４３）、受信した特定の個別イベントへの参加要求を受け付けない処理（Ｓ４５）等を実行してもよい。この処理でも、占有モードによる予約をある程度制限し、別会員の各種イベントに対する予約機会を確保することができる。
【００４７】
また、イベント情報管理装置１が、図１５に示すように、例えば任意の時点でステータス情報が有効であることとモード情報が占有モードであることをキーにして、アサインテーブル格納部３２７に格納しているイベント用内部スキーマ（アサインデータ）から、各会員或いは所要の会員がその時点で有する占有モードでステータス情報が有効のイベント用内部スキーマによる関連付けの個数を認識し（Ｓ５１）、データ格納部３２の所定領域に格納されている関連付けの個数の閾値と対比し、特定の会員の関連付けの個数が閾値超若しくは閾値以上の場合に（Ｓ５２）、特定の会員が有する占有モードでステータス情報が有効のイベント用内部スキーマによる関連付けの少なくとも１つのステータス情報を有効で無くす処理（Ｓ５３）等を実行してもよい。この際、時間的に後のものから所定数の関連付けを無効にする、或いは全ての関連付けを無効にする等の処理を行い、無効にしたイベント用内部スキーマをアサインテーブル格納部３２７に格納する処理を実行する構成等とすることが可能である。この処理でも、占有モードによる予約をある程度制限し、別会員の各種イベントに対する予約機会を確保することができる。
【００４８】
また、上記実施形態では、イベントテーマ情報に対応する開催期間を有する個別イベント情報を予めイベント情報管理装置１が格納し、その個別イベント情報の個別イベントの中から会員が都合の合う開催期間の個別イベントを選択し、選択された個別イベントの個別イベント情報と選択した会員の会員情報を関連付ける構成としたが、イベントテーマに対応する個別イベントの開催期間を会員が指定し、イベント情報管理装置１が、指定された開催期間の個別イベントの個別イベント情報を生成し、個別イベントテーブル格納部３２５に格納する構成とすることも可能である。
【００４９】
この場合には、事前にアクセス画面等で会員ＩＤが特定された会員のクライアント端末１２とのやり取りにおいて、例えば図１６に示すように、所定画面でのクリック等により通信ネットワークを介在する会員ＩＤ：Ｍ１の会員のクライアント端末１２からの表示要求に応じて、イベント情報管理装置１が、イベント内容を表示するイベントテーマ画面を提示する（Ｓ６１）。図１７（ａ）のイベントテーマ画面の例では、イベントテーマ名、イベントの概要、イベントの内容説明、開催場所を示している。
【００５０】
その後、クライアント端末１２でイベントテーマ画面における個別イベント参加希望のボタンの入力がなされると、イベント情報管理装置１は、個別イベント参加希望入力の受信に応じて、個別イベントの開催期間の入力を促す開催期間入力画面を提示する（Ｓ６２）。図１７（ｂ）の開催期間入力画面の例では、開始日時と終了日時の入力欄と、個別イベント参加登録要求の入力となる登録ボタンが設けられている。
【００５１】
その後、クライアント端末１２で開催期間入力画面における開催期間の入力及び個別イベント参加登録要求の入力となる登録ボタンの入力がなされると、イベント情報管理装置１は、開催期間入力画面で入力された開催期間及び個別イベント参加登録要求の受信に応じて、入力された開催期間を有する個別イベントの個別イベント情報のデータを生成して個別イベントテーブル格納部３２５に格納する（Ｓ６３）。これに合わせ、イベント情報管理装置１は、例えば占有モードのイベント用内部スキーマ（アサインデータ）を生成し、生成した個別イベント情報と個別イベント参加を希望する会員ＩＤ：Ｍ１の会員の会員情報との関連付けを行って、この新たに生成したイベント用内部スキーマをアサインテーブル格納部３２７に追加して格納する（Ｓ６４）。
【００５２】
尚、上記変形例において、個別イベント情報のデータ生成の前に、イベント情報管理装置１が、重複する開催期間の個別イベント情報が存在するか否かを、個別イベントテーブル格納部３２５に既に格納されている個別イベント情報の中から確認し、重複する開催期間の個別イベント情報がある場合には、イベント情報管理装置１がクライアント端末１２に開催期間入力画面を再度提示して、別の開催期間の入力及び個別イベント参加登録要求の入力を促すようにしてもよい。
【００５３】
また、上記変形例では、イベントテーマ情報を開催場所を含まないものとし、イベント情報管理装置１が、開催期間入力画面等で開催場所の入力を促し、クライアント端末１２で入力されて受信した開催場所を個別イベント情報に含ませ、この開催期間と開催場所を有する個別イベント情報を個別イベントテーブル格納部３２５に格納する構成とすることも可能である。
【００５４】
このイベントテーマに対応する個別イベントの開催期間を会員が指定する変形例によれば、利用者の便宜性の高い個別イベントを提供することができる。また、通信接続されるクライアント端末１２での入力を直接反映させ、利用者の希望に沿った個別イベント情報を正確且つ効率的に設定することができる。更に、イベント内容を表示するイベントテーマ画面からの入力に応じて開催期間画面を提示することにより、イベント参加を希望する利用者の要望に即座に応えることができる。
【００５５】
また、本発明におけるイベントには、会員が参加可能或いは出席可能な適宜のものが含まれ、例えば不定期に行われる催し物、定期的に行われる催し物、毎日など常時提供されているサービス或いは不定期に提供されているサービスを受ける機会等が含まれる。例えば病院の診察予約、レストランでの食事等も含まれる。
【００５６】
また、本発明は、イベント用内部スキーマを介在して個別イベント情報と会員情報を関連付ける場合に限定されず、個別イベント情報に会員ＩＤを含ませて個別イベント情報と会員情報を関連付ける等により、イベント用内部スキーマを用いずに個別イベント情報と会員情報を関連付ける場合も包含する。
【産業上の利用可能性】
【００５７】
本発明は、例えばネットサービスで会員のイベント参加を受け付けて参加情報を管理する場合に利用することができる。
【符号の説明】
【００５８】
１…イベント情報管理装置  ２…制御部  ３…記憶部  ３１…プログラム格納部  ３２…データ格納部  ３２１…イベントテーマテーブル格納部  ３２２…インストラクターテーブル格納部  ３２３…会場テーブル格納部  ３２４…チケットテーブル格納部  ３２５…個別イベントテーブル格納部  ３２６…会員情報格納部  ３２７…アサインテーブル格納部  ３２８…表示画面格納部  ４…入力部  ５…画像表示部  ６…通信部  １１…通信ネットワーク  １２…クライアント端末
【図１】
0006604787.tif 000002
【図２】
0006604787.tif 000003
【図３】
0006604787.tif 000004
【図４】
0006604787.tif 000005
【図５】
0006604787.tif 000006
【図６】
0006604787.tif 000007
【図７】
0006604787.tif 000008
【図８】
0006604787.tif 000009
【図９】
0006604787.tif 000010
【図１０】
0006604787.tif 000011
【図１１】
0006604787.tif 000012
【図１２】
0006604787.tif 000013
【図１３】
0006604787.tif 000014
【図１４】
0006604787.tif 000015
【図１５】
0006604787.tif 000016
【図１６】
0006604787.tif 000017
【図１７】
0006604787.tif 000018